【手続補正書】
【提出日】平成15年9月8日(2003.9.8)
【手続補正１】
【補正対象書類名】明細書
【補正対象項目名】発明の名称
【補正方法】変更
【補正の内容】
【発明の名称】情報記録装置及び方法並びに情報再生装置及び方法
【手続補正２】
【補正対象書類名】明細書
【補正対象項目名】特許請求の範囲
【補正方法】変更
【補正の内容】
【特許請求の範囲】
【請求項１】
複数の部分記録情報から構成される記録情報と、前記部分記録情報毎の再生を制御するための部分記録情報再生制御情報と、を生成して出力する信号処理手段と、
前記記録情報と前記部分記録情報再生制御情報とを多重して多重記録情報を生成し出力する多重手段と、
前記多重記録情報を情報記録媒体に記録する記録手段と、
を備え、
前記部分記録情報再生制御情報は、
各前記部分記録情報が属するカテゴリを示すカテゴリ情報と、
各前記部分記録情報の再生時間を示す再生時間情報と、
各前記部分記録情報を夫々構成する複数のユニットにおける最初の当該ユニットの開始アドレスと、
各前記部分記録情報を夫々構成する複数のユニットにおける最後の当該ユニットの開始アドレスと、を含み、
前記カテゴリ情報には、対応する前記部分記録情報中の音声情報の種類を示す識別情報が含まれていることを特徴とする情報記録装置。
【請求項２】
前記カテゴリ情報には、
対応する前記部分記録情報がブロック内に含まれているか否かを示すブロックモード情報と、
前記ブロックの種類を示すブロックタイプ情報と、
対応する前記部分記録情報がシームレスに再生されるべき前記部分記録情報であるか否かを示すシームレスフラグと、
を更に含むことを特徴とする請求項１に記載の情報記録装置。
【請求項３】
複数の前記部分記録情報によりプログラムが構成され、当該プログラムに含まれる複数の前記部分記録情報に対応する前記部分記録情報再生制御情報が纏めて記録されることを特徴とする請求項１又は２に記載の情報記録装置。
【請求項４】
前記記録情報がカラオケの曲である場合に、
当該記録情報を構成する前記部分記録情報の夫々が、少なくともイントロ、コーラス男性、コーラス女性又はエンディングのいずれか一つであることを示す前記識別情報が記録されることを特徴とする請求項１乃至３のいずれか１に記載の情報記録装置。
【請求項５】
前記情報記録媒体はスタンパディスクであり、
前記スタンパディスクを用いてレプリカディスクを製造するレプリケーション手段とを更に備えることを特徴とする請求項１乃至４のいずれか１に記載の情報記録装置。
【請求項６】
請求項５に記載の情報記録装置により記録されたレプリカディスク。
【請求項７】
複数の部分記録情報から構成される記録情報と、前記部分記録情報毎の再生を制御するための部分記録情報再生制御情報と、を生成して出力する信号処理工程と、
前記記録情報と前記部分記録情報再生制御情報とを多重して多重記録情報を生成し出力する多重工程と、
前記多重記録情報を情報記録媒体に記録する記録工程と、
を含み、
前記部分記録情報再生制御情報は、
各前記部分記録情報が属するカテゴリを示すカテゴリ情報と、
各前記部分記録情報の再生時間を示す再生時間情報と、
各前記部分記録情報を夫々構成する複数のユニットにおける最初の当該ユニットの開始アドレスと、
各前記部分記録情報を夫々構成する複数のユニットにおける最後の当該ユニットの開始アドレスと、を含み、
前記カテゴリ情報には、対応する前記部分記録情報中の音声情報の種類を示す識別情報が含まれていることを特徴とする情報記録方法。
【請求項８】
前記カテゴリ情報には、
対応する前記部分記録情報がブロック内に含まれているか否かを示すブロックモード情報と、
前記ブロックの種類を示すブロックタイプ情報と、
対応する前記部分記録情報がシームレスに再生されるべき前記部分記録情報であるか否かを示すシームレスフラグと、
を更に含むことを特徴とする請求項７に記載の情報記録方法。
【請求項９】
複数の前記部分記録情報によりプログラムが構成され、当該プログラムに含まれる複数の前記部分記録情報に対応する前記部分記録情報再生制御情報が纏めて記録されることを特徴とする請求項７又は８に記載の情報記録方法。
【請求項１０】
前記記録情報がカラオケの曲である場合に、
当該記録情報を構成する前記部分記録情報の夫々が、少なくともイントロ、コーラス男性、コーラス女性又はエンディングのいずれか一つであることを示す前記識別情報が記録されることを特徴とする請求項７乃至９のいずれか１に記載の情報記録方法。
【請求項１１】
前記情報記録媒体はスタンパディスクであり、
前記スタンパディスクを用いてレプリカディスクを製造するレプリケーション手段とを更に備えることを特徴とする請求項７乃至１０のいずれか１に記載の情報記録方法。
【請求項１２】
請求項１１に記載の情報記録方法により記録されたレプリカディスク。
【請求項１３】
複数の部分記録情報から構成される記録情報と、前記部分記録情報毎の再生を制御するための部分記録情報再生制御情報とが記録された情報記録媒体であって、
前記部分記録情報再生制御情報は、各前記部分記録情報が属するカテゴリを示すカテゴリ情報と、各前記部分記録情報の再生時間を示す再生時間情報と、各前記部分記録情報を夫々構成する複数のユニットにおける最初の当該ユニットの開始アドレスと、各前記部分記録情報を夫々構成する複数のユニットにおける最後の当該ユニットの開始アドレスと、を含み、
前記カテゴリ情報には、対応する前記部分記録情報中の音声情報の種類を示す識別情報が含まれている情報記録媒体から情報を再生する情報再生装置において、
読取手段と、
前記部分記録情報再生制御情報を抽出する抽出手段と、
前記部分記録情報再生制御情報に基づいて前記記録情報の再生を制御する制御手段と、
を備えたことを特徴とする情報再生装置。
【請求項１４】
再生すべき音声情報の種類を指定する指定手段をさらに備え、
前記制御手段は、前記指定された音声情報の種類の前記部分記録情報を前記部分記録情報再生制御情報に基づいて再生することを特徴とする請求項１４に記載の情報再生装置。
【請求項１５】
前記カテゴリ情報には、
対応する前記部分記録情報がブロック内に含まれているか否かを示すブロックモード情報と、
前記ブロックの種類を示すブロックタイプ情報と、
対応する前記部分記録情報がシームレスに再生されるべき前記部分記録情報であるか否かを示すシームレスフラグと、
が更に含まれていることを特徴とする請求項１３又は１４に記載の情報再生装置。
【請求項１６】
複数の前記部分記録情報によりプログラムが構成され、当該プログラムに含まれる複数の前記部分記録情報に対応する前記部分記録情報再生制御情報が纏めて前記情報記録媒体に記録されていることを特徴とする請求項１３乃至１５のいずれか１に記載の情報再生装置。
【請求項１７】
前記記録情報がカラオケの曲である場合に、
当該記録情報を構成する前記部分記録情報の夫々が、少なくともイントロ、コーラス男性、コーラス女性又はエンディングのいずれか一つであることを示す前記識別情報が記録されることを特徴とする請求項１３乃至１６のいずれか１に記載の情報再生装置。
【請求項１８】
複数の部分記録情報から構成される記録情報と、前記部分記録情報毎の再生を制御するための部分記録情報再生制御情報とが記録された情報記録媒体であって、
前記部分記録情報再生制御情報は、各前記部分記録情報が属するカテゴリを示すカテゴリ情報と、各前記部分記録情報の再生時間を示す再生時間情報と、各前記部分記録情報を夫々構成する複数のユニットにおける最初の当該ユニットの開始アドレスと、各前記部分記録情報を夫々構成する複数のユニットにおける最後の当該ユニットの開始アドレスと、を含み、
前記カテゴリ情報には、対応する前記部分記録情報中の音声情報の種類を示す識別情報が含まれている情報記録媒体から情報を再生する情報再生方法において、
読取工程と、
前記部分記録情報再生制御情報を抽出する抽出工程と、
前記部分記録情報再生制御情報に基づいて前記記録情報の再生を制御する制御工程と、
を含むことを特徴とする情報再生方法。
【請求項１９】
再生すべき音声情報の種類を指定する指定工程を更に含み、
前記制御工程においては、前記指定された音声情報の種類の前記部分記録情報を前記部分記録情報再生制御情報に基づいて再生することを特徴とする請求項１８に記載の情報再生方法。
【請求項２０】
前記カテゴリ情報には、
対応する前記部分記録情報がブロック内に含まれているか否かを示すブロックモード情報と、
前記ブロックの種類を示すブロックタイプ情報と、
対応する前記部分記録情報がシームレスに再生されるべき前記部分記録情報であるか否かを示すシームレスフラグと、
が更に含まれていることを特徴とする請求項１８又は１９に記載の情報再生方法。
【請求項２１】
複数の前記部分記録情報によりプログラムが構成され、当該プログラムに含まれる複数の前記部分記録情報に対応する前記部分記録情報再生制御情報が纏めて前記情報記録媒体に記録されていることを特徴とする請求項１８乃至２０のいずれか１に記載の情報再生方法。
【請求項２２】
前記記録情報がカラオケの曲である場合に、
当該記録情報を構成する前記部分記録情報の夫々が、少なくともイントロ、コーラス男性、コーラス女性又はエンディングのいずれか一つであることを示す前記識別情報が記録されることを特徴とする請求項１８乃至２１のいずれか１に記載の情報再生方法。
【手続補正３】
【補正対象書類名】明細書
【補正対象項目名】０００８
【補正方法】変更
【補正の内容】
【０００８】
【課題を解決するための手段】
上記の課題を解決するために、請求項1に記載の発明は、複数の部分記録情報から構成される記録情報と、前記部分記録情報毎の再生を制御するための部分記録情報再生制御情報と、を生成して出力する信号処理手段と、前記記録情報と前記部分記録情報再生制御情報とを多重して多重記録情報を生成し出力する多重手段と、前記多重記録情報を情報記録媒体に記録する記録手段と、備え、前記部分記録情報再生制御情報は、各前記部分記録情報が属するカテゴリを示すカテゴリ情報と、各前記部分記録情報の再生時間を示す再生時間情報と、各前記部分記録情報を夫々構成する複数のユニットにおける最初の当該ユニットの開始アドレスと、各前記部分記録情報を夫々構成する複数のユニットにおける最後の当該ユニットの開始アドレスと、を含み、前記カテゴリ情報には、対応する前記部分記録情報中の音声情報の種類を示す識別情報が含まれている。
【手続補正４】
【補正対象書類名】明細書
【補正対象項目名】０００９
【補正方法】変更
【補正の内容】
【０００９】
上記の課題を解決するために、請求項７に記載の発明は、複数の部分記録情報から構成される記録情報と、前記部分記録情報毎の再生を制御するための部分記録情報再生制御情報と、を生成して出力する信号処理工程と、前記記録情報と前記部分記録情報再生制御情報とを多重して多重記録情報を生成し出力する多重工程と、前記多重記録情報を情報記録媒体に記録する記録工程と、を含み、前記部分記録情報再生制御情報は、各前記部分記録情報が属するカテゴリを示すカテゴリ情報と、各前記部分記録情報の再生時間を示す再生時間情報と、各前記部分記録情報を夫々構成する複数のユニットにおける最初の当該ユニットの開始アドレスと、各前記部分記録情報を夫々構成する複数のユニットにおける最後の当該ユニットの開始アドレスと、を含み、前記カテゴリ情報には、対応する前記部分記録情報中の音声情報の種類を示す識別情報が含まれている。
【手続補正５】
【補正対象書類名】明細書
【補正対象項目名】００１０
【補正方法】変更
【補正の内容】
【００１０】
上記の課題を解決するために、請求項１３に記載の発明は、複数の部分記録情報から構成される記録情報と、前記部分記録情報毎の再生を制御するための部分記録情報再生制御情報とが記録された情報記録媒体であって、前記部分記録情報再生制御情報は、各前記部分記録情報が属するカテゴリを示すカテゴリ情報と、各前記部分記録情報の再生時間を示す再生時間情報と、各前記部分記録情報を夫々構成する複数のユニットにおける最初の当該ユニットの開始アドレスと、各前記部分記録情報を夫々構成する複数のユニットにおける最後の当該ユニットの開始アドレスと、を含み、前記カテゴリ情報には、対応する前記部分記録情報中の音声情報の種類を示す識別情報が含まれている情報記録媒体から情報を再生する情報再生装置において、読取手段と、前記部分記録情報再生制御情報を抽出する抽出手段と、前記部分記録情報再生制御情報に基づいて前記記録情報の再生を制御する制御手段と、を備える。
【手続補正６】
【補正対象書類名】明細書
【補正対象項目名】００１１
【補正方法】変更
【補正の内容】
【００１１】
上記の課題を解決するために、請求項１８に記載の発明は、複数の部分記録情報から構成される記録情報と、前記部分記録情報毎の再生を制御するための部分記録情報再生制御情報とが記録された情報記録媒体であって、前記部分記録情報再生制御情報は、各前記部分記録情報が属するカテゴリを示すカテゴリ情報と、各前記部分記録情報の再生時間を示す再生時間情報と、各前記部分記録情報を夫々構成する複数のユニットにおける最初の当該ユニットの開始アドレスと、各前記部分記録情報を夫々構成する複数のユニットにおける最後の当該ユニットの開始アドレスと、を含み、前記カテゴリ情報には、対応する前記部分記録情報中の音声情報の種類を示す識別情報が含まれている情報記録媒体から情報を再生する情報再生方法において、読取工程と、前記部分記録情報再生制御情報を抽出する抽出工程と、前記部分記録情報再生制御情報に基づいて前記記録情報の再生を制御する制御工程と、を含むように構成される。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】変更
【補正の内容】
【００４２】
（Ｉ）情報記録媒体の実施の形態
始めに、本発明に対応する情報記録媒体の実施の一形態であるＤＶＤの物理的及び論理的な構成並びにその動作について、図１乃至図８用いて説明する。なお、以下の実施の形態は、ＤＶＤに対してカラオケ用の映像情報及び音声情報（音楽情報を含む。以下同じ。）を記録する場合について説明する。この場合、映像情報は、カラオケのバックに表示される映像情報を示すこととなる。また、本実施の形態のＤＶＤに記録されるカラオケは、バックの伴奏だけでなく、当該伴奏に合わせた歌唱も記録されるものとする。


【手続補正３７】
【補正対象書類名】明細書
【補正対象項目名】００９２
【補正方法】変更
【補正の内容】
【００９２】
図９に示すように、実施形態に係る記録装置Ｓ1は、ＶＴＲ（Video Tape Recorder）７０と、メモリ７１と、信号処理部７２と、ハードディスク装置７３及び７４と、コントローラ７５と、多重器７６と、変調器７７と、マスタリング装置７８とにより構成されている。


【手続補正３８】
【補正対象書類名】明細書
【補正対象項目名】０１０６
【補正方法】変更
【補正の内容】
【０１０６】
始めに、図１０を用いて、実施形態の再生装置の全体構成について説明する。
図１０に示すように、実施形態に係るカラオケ装置Ｓ2は、ピックアップ８０と、復調訂正部８１と、ストリームスイッチ８２及び８４と、トラックバッファ８３と、システムバッファ８５と、デマルチプレクサ８６と、ＶＢＶ（Video Buffer Verifier）バッファ８７と、ビデオデコーダ８８と、サブピクチャバッファ８９と、サブピクチャデコーダ９０と、混合器９１と、オーディオバッファ９２と、オーディオデコーダ９３と、ＰＣＩバッファ９４と、ＰＣＩデコーダ９５と、ハイライトバッファ９６と、ハイライトデコーダ９７と、入力部９８と、ディスプレイ９９と、システムコントローラ１００と、ドライブコントローラ１０１と、スピンドルモータ１０２と、スライダモータ１０３と、ＤＳＰ（Digital Signal Processing）処理部１０４と、混合器１０５及び１０７と、マイク１０６とにより構成されている。なお、図１０に示す全体構成は、カラオケ装置Ｓ2の構成のうち、映像及び音声の再生に関する部分のみを記載したものであり、ピックアップ８０及びスピンドルモータ１０２並びにスライダモータ１０３等をサーボ制御するためのサーボ回路等は従来技術と同様であるので、記載及び細部説明を省略する。


【手続補正３９】
【補正対象書類名】明細書
【補正対象項目名】０１０７
【補正方法】変更
【補正の内容】
【０１０７】
次に、図１０に示す全体構成のうち、特に本発明に係るカラオケ曲としてのオーディオデータ４３を再生する部分の細部構成について図１１を用いて説明する。
図１１に示すように、オーディオデータ４３の再生に関与する部分はオーディオデコーダ９３と、Ｄ／Ａ（Digital/Analog）変換器１０８、１０９、１１０及び１１３と、ボリューム１１１、１１４及び１２８と、スイッチ１１２、１１５、及び１２９と、スイッチ１１６と、入力部９８と、システムコントローラ１００と、マイク１０６と、ＤＳＰ処理部１０４と、混合器１０５、１０７、１２２及び１２３と、アンプ１２７及び１２１と、左用スピーカ１２４と、右用スピーカ１２５とにより構成されている。


【手続補正４０】
【補正対象書類名】明細書
【補正対象項目名】０１４１
【補正方法】変更
【補正の内容】
【０１４１】
以上の動作により、男性がＤＶＤ１に記録されている女性のボーカルと共にデュエットカラオケを楽しむことができるのである。
以上説明したように、実施の形態のカラオケ装置Ｓ2によれば、各セル２０毎の内容を識別するためのセル識別情報３０２がＰＧＣＩ６４内に記録されているので、再生すべき内容（男性歌唱又は女性歌唱等）を備えるセル２０を指定することにより、セル識別情報３０２を参照して当該指定された内容を備えるセル２０のみを検出して再生することができ、変化に富んだ再生が可能となる。
【手続補正４１】
【補正対象書類名】明細書
【補正対象項目名】０１４７
【補正方法】削除
【補正の内容】
【手続補正４２】
【補正対象書類名】明細書
【補正対象項目名】０１４８
【補正方法】削除
【補正の内容】
【手続補正４３】
【補正対象書類名】明細書
【補正対象項目名】０１４９
【補正方法】削除
【補正の内容】
【手続補正４４】
【補正対象書類名】明細書
【補正対象項目名】０１５０
【補正方法】削除
【補正の内容】
【手続補正４５】
【補正対象書類名】明細書
【補正対象項目名】０１５１
【補正方法】削除
【補正の内容】
【手続補正４６】
【補正対象書類名】明細書
【補正対象項目名】０１５２
【補正方法】削除
【補正の内容】
【手続補正４７】
【補正対象書類名】明細書
【補正対象項目名】０１５３
【補正方法】削除
【補正の内容】
【手続補正４８】
【補正対象書類名】明細書
【補正対象項目名】０１５４
【補正方法】削除
【補正の内容】
【手続補正４９】
【補正対象書類名】明細書
【補正対象項目名】０１５５
【補正方法】削除
【補正の内容】
【手続補正５０】
【補正対象書類名】明細書
【補正対象項目名】０１５６
【補正方法】削除
【補正の内容】
【手続補正５１】
【補正対象書類名】明細書
【補正対象項目名】０１５７
【補正方法】削除
【補正の内容】
【手続補正５２】
【補正対象書類名】明細書
【補正対象項目名】０１５８
【補正方法】削除
【補正の内容】
【手続補正５３】
【補正対象書類名】明細書
【補正対象項目名】０１５９
【補正方法】削除
【補正の内容】
【手続補正５４】
【補正対象書類名】明細書
【補正対象項目名】０１６０
【補正方法】削除
【補正の内容】
【手続補正５５】
【補正対象書類名】明細書
【補正対象項目名】０１６１
【補正方法】削除
【補正の内容】
【手続補正５６】
【補正対象書類名】明細書
【補正対象項目名】０１６２
【補正方法】削除
【補正の内容】